(57)【特許請求の範囲】
【請求項１】
筒状で底を持ち、インナーベースの上下作動を円滑に保つアウターレール部を内側の両サイドに持つアウターベース底の左右に、一対のスクリューネジを回転自在に取り付け、１つの駆動モーターと、この回転をスクリューネジに伝えるプーリーとベルトをアウターベース内に設け、筒状でその上側に天井を、外側にアウターレール部に沿うようインナーレール部を持つインナーベースに、スクリューネジに勘合させたスクリューナットを取り付け、駆動モーターを回転させて、インナーベースを上下作動させる機構の電動の空き缶つぶし機において、駆動モーターをスクリューネジとスクリューネジの間に配置し、空き缶を受ける缶受け部を、駆動モーターの上側に設定し、インナーベースの天井の缶押し部と、アウターベースの缶受け部で空き缶を潰すようにし、少なくともインナーベースの横方向の断面が、スクリューネジ、スクリューナットの周囲を囲む文字の凹型の形状となるようにし、アウターベースと共に、あらゆる上下作動位置で、人の手が作動中危険な、スクリューネジ、スクリューナットに触れないようにして、安全性を確保すると同時に、缶を潰した時の位置が、最小の格納位置となるようにしたことを特徴とする、電動の空き缶つぶし機。
【請求項２】
インナーベースの内側に、缶の側面をへこます下アーム、上アーム及びガイドピンを軸上に取り付けたアームシャフトを、最上段以外ではアームがインナーベースから内側出てこないようばね力で回転方向に荷重を加えたリターンスプリングと一緒に、アームプレートで回転自在に取り付け、スクリューナットを取り付けたガイドプレートに、ガイドピンに勘合し上下の動きをガイドピンの回転方向に誘導するよう、アームシャフトの方向に対し、斜めの角度を持った長穴のガイド穴を設け、インナーベースの最上段位置を規制するストッパープレートをスクリューネジ軸上のガイドプレートとスクリューナットの間でインナーベースに固定し、スクリューネジの先端にスクリューストッパーを設けて、インナーベースの上昇中、ストッパープレートが最上段でスクリューストッパーに当たってインナーベースの上昇が止まったときに、ガイドプレートのみがスクリューネジで押し上げられて、ガイド穴の中のガイドピンをガイド穴に沿って動かし、アームシャフトを回転させ、アームを作動させて缶の側面をへこませ、上下方向の缶を潰す荷重を下げるようにした請求項１の電動の空き缶つぶし機。
【請求項３】
アウターカバーの表面に、格納スイッチと作動スイッチを設け、その内側に制御装置を設け、アウターベース最下段の内側に下リミットスイッチ、最上段に上リミットスイッチ、インナーベースのアーム作動部に、アームリミットスイッチを設け、格納時には、格納スイッチを押し、駆動モーターを逆転させ、インナーベースを下げ、最下段では下リミットスイッチが感知し、制御装置にその信号を送り、駆動モーターを停止させ、使用時には、格納スイッチを再度押すことで、駆動モーターを正転させて、インナーベースを最上段まで上げ、上リミットスイッチが感知し、制御装置にその信号を送り、駆動モーターを停止させ、空き缶セット後、作動スイッチを押すことにより、駆動モーターを正転させ、アームが作動し、缶の両サイドをへこまし、アームリミットスイッチが感知して、その信号を制御装置に送り、駆動モーターを逆転させ、アームを収め、インナーベースを下げて缶をつぶし、最下段では、下リミットスイッチが感知し、その信号を制御装置に送り、駆動モーターを正転させ、インナーベースを上げ、最上段で、上リミットスイッチで感知して、その信号を制御装置に送り、駆動モーターを停止させるようなシステムを持つ、請求項２の電動の空き缶つぶし機。
【発明の詳細な説明】
【技術分野】
【０００１】
本発明は飲料用の空き缶のスペースを小さくし、回収、リサイクルの効率を高める、空き缶つぶし機に関するものである。
【背景技術】
【０００２】
従来飲料用の小型の空き缶つぶし機は、リンク、アーム、カム構造で手動もしくは足踏み作動が多く、構造は簡単で安価なため、家庭用として、ある程度出回っていた。又大型の空き缶つぶし機は、電動モーターで駆動し、スイッチを押すだけで簡単にしかも素早く操作できるので、大きな会社やスーパーマーケットに置かれ、使用されていた。
【０００３】
しかし従来の小型の缶つぶし機は、手動では力が要るし、足踏みでは、缶を取り出すたび、腰をかがめていたため、面倒であり、また操作するスペースも広く取る必要があり、狭いダイニングキッチンには見栄えの悪さも加わって、広く使われることはなかった。又大型の缶つぶし機の操作は楽であるが、設置には、広い場所が必要でしかも高価であるため、家庭用としては、不向きであった。
【０００４】
この対策として小型モーターを歯車で減速してネジを回してナットを取り付けた中間板を作動させて、空き缶をつぶす構造のものもあるが、安全性、操作スペース、大きさ、外観の面で、十分とはいえなかった。
【特許文献１】特開2000−343291号公報
【特許文献２】特開平9−29493号公報
【発明の開示】
【０００５】
簡単なボタン操作だけで、素早く缶をつぶすことが出来、最小の操作スペースで、小型で安全で美しく、しかも安価な家庭用の缶つぶし機を提供する。
【０００６】
本発明は、断面形状が略凹形状のアウターベース１の内側に、スクリューネジ６、スクリューナット７、アームシャフト１７などの部品を、取り囲み保護する、断面形状が略凹形状のインナーベース２を設け、アウターベース１の内側とインナーベース２の外側に１対でお互いに沿う、凹凸状断面のレールのアウターレール部１ａとインナーレール部２ｂを設け、アウターベース１の中央の内側に、１つの減速された駆動モーター３を設け、左右一対のスクリューネジ６に駆動プーリー４と受動プーリー５とベルト２４で駆動モーター３の動力を伝達するように取り付け、スクリューネジ６の下端にベアリング１２を取り付け、これをアウターベースの底にスクリューセットプレート２１で取り付け、スクリューネジ６の上端に、スクリューガイド１０をスクリューネジ６とこれに固定された、スクリューストッパー９の間の軸上に回転自在になるよう挟み込んで取り付け、スクリューガイド１０がスクリューの先端を保持し、スライドするよう、インナーベース２の内側にスクリューガイド溝２ｄを形成し、スクリューネジ６に取り付けたスクリューナット７はガイドプレート１３に固定されている。又アウターベース１の上側には缶の下側の水平方向のずれを規制するため、くぼみ形状をした缶受け部１ｅを形成し、インナーベースの上側には缶の上側を押しつぶす缶押し部２ｆを形成してある。又インナーベースの内側に、下アーム１５、上アーム１６とこれを、固定保持し、回転軸となる、アームシャフト１７を缶の４隅に回転自在になるようアームプレート１８で設置し、アームシャフト１７の下端の軸にはリターンスプリング２０をアームが収納する方向にバネ力を持たせて設置し、アームシャフト１７の中央部に、ガイドピン１４が取り付けられ、このガイドピンが、ガイドプレート１３のガイド穴１３ｃにはまりスライドするとアームシャフトが回転するよう設置されている。又スクリューネジ６の軸上に、インナーベース２の上限を規制する、ストッパープレート８がインナーベース２の内側に取り付けられ、アウターベース１の下端には下リミットスイッチ２７が上端には上リミットスイッチ２８が、インナーベース２の内側にはアームリミットスイッチ２９が取り付けられ、アウターカバー１１の外側には格納スイッチ２５と作動スイッチ２６が、内側には制御装置３１が取り付けられている。
【０００７】
作動スイッチを押すだけで、一連の缶つぶし操作を自動的に行うので、簡単に操作でき、スクリューネジ、スクリューナット、駆動モーター等の部品が、すべての作動範囲内で、アウターベースとインナーベースによって囲まれ保護されているので、安全で、且つ見栄えもよく、インナーベースの作動も上下方向で、作動スペースも取らず、使用後は、コンパクトに出来るので、狭いダイニングキッチンにも、置くことができ、またつぶし効率も良いので最小のモーターで十分機能するため、軽量で安価な缶つぶし機が、提供できる。
【発明を実施するための最良の形態】
【０００８】
通常スクリューネジの両端は、アウターベース側に回転自在に固定されるのが一般的ではあるが、そうするとインナー側にスクリューネジの、取り付けブラケットの逃がし溝がどうしても必要となり、その溝から内臓物が露出し、危険であり見栄えも悪くなってくる。本発明ではその点を防止するため、スクリューネジ６の下端部のみ回転自在に固定し、上端部はフリーにし、インナーベース１の内側のスクリューガイド溝２ｄをスライドするスクリューガイド１０で、スクリューネジ６の先端を保持し、振れを防止してあるので、逃がし溝が不要で内臓物も露出せず安全で見栄えも良い。また通常、空き缶は上下方向には強いが、横には弱く、横にへこみがある場合は上下方向の強度が著しく落ちるため、本発明は下アーム１５、上アーム１６で缶の両サイドをへこました後で、缶の上下をつぶすようにして機械効率を高めているので、小さなモーターでも作動できる。またアームを作動させるガイド穴１３ｃの形状は、図７のように、アームが缶に当たるまでをすばやく動かし、当たってから力を出せるよう長穴とピンの傾斜角を変化させるように設定してあるので、効率よく缶の両サイドをへこませることが出来る。
【実施例１】
【０００９】
断面形状が図４に示すように、略凹状になったアウターベース１の内側に、図５、図６に示す、スクリューネジ６、スクリューナット７、アームシャフト１７などの部品を、保護し取り囲む凹断面形状を持つインナーベース２を設け、アウターベース１の内側とインナーベース２の外側に１対でお互いに沿う凹凸状のレールのアウターレール部１ａとインナーレール部２ｂを設け、アウターベース１の中央の内側に１つの減速した駆動モーター３を設け、左右１対のスクリューネジ６に駆動プーリー４と受動プーリー５とベルト２４を図４のように取り付け、スクリューネジ６の下端に図２に示すように、ベアリング１２を取り付け、これをアウターベース１の底に、スクリューセットプレート２１で取り付け、スクリューネジ６の上端にスクリューガイド１０をスクリューネジ６とスクリューネジに固定された、スクリューストッパー９の間に軸上に回転自在になるよう挟み込み取り付け、スクリューガイド１０がスクリューネジの先端を保持しスライドするよう、インナーベース２の内側に図６に示すようなスクリューガイド溝２ｄを形成し、スクリューネジ６に取り付けられた、スクリューナット７はガイドプレート１３に固定されている。又アウターベースの上側には図１のように、缶の水平方向のずれを規制するため、くぼみ形状の缶受け部１ｅを形成し、インナーベースの上側には缶押しつぶす缶押し部２ｆを形成してある。又図６に示すように、インナーベース２の内側に、下アーム１５、上アーム１６を固定保持し、回転軸となるアームシャフト１７を缶の４隅に回転自在になるようアームプレート18で設置し、図２に示すように、アームシャフト１７の軸の下端には、リターンスプリング２０をアームが格納する方向にバネ力を持たせ設置し、アームシャフト１７の中央部に、ガイドピン１４を取り付け、このガイドピンが、ガイドプレート１３のガイド穴１３ｃにはまりスライドするとアームシャフトが回転するよう、設定されている。又図１に示すように、スクリューネジ６の軸上に、インナーベース２の上限を規制する、ストッパープレート８がインナーベース２の内側に固定され、アウターベース１の下端には、図３、図６のように下リミットスイッチ２７が、上端には上リミットスイッチ２８が、インナーベース２の内側には、アームリミットスイッチ２９が取り付けられ、図８、図５のようにアウターカバー１１の外側には格納スイッチ２５と作動スイッチ２６が内側には制御装置３１が取り付けられている。
【００１０】
したがって、缶つぶし機を使ってない格納時は、インナーベース２は最下段までおりているが、使用時に格納スイッチ25を押すと、駆動モーター３は正転し、その回転は駆動プーリー４  、ベルト２４、受動プーリー５、スクリューネジ６と伝わり、スクリューナット７を取り付けたガイドプレート１３を上方向に押し上げ、リターンスプリング２０のバネ力によって、ガイド穴１３ｃの上端に押しやられているガイドピン１４、これと一体になっているアームシャフト１７、インナーベース２を押し上げていく。インナーベース２が最上段付近まで上がったとき、アウターベース１の上端の上リミットスイッチ２８が感知し、その信号を制御装置３１に送り、停止命令を出して駆動モーター３を停止させ、インナーベース２はこの位置で止まる。この位置で空き缶をセットして作動スイッチ２６を押すと、再度駆動モーター３は正転してガイドプレート１３を押し上げようとするが、インナーベース２に固定されたストッパープレート８がスクリューストッパー９に当り動かないので、ガイドプレート１３だけが、リターンスプリング２０のバネ力に打ち勝ち動き、ガイド穴１３ｃに入ったガイドピン１４を動かし、アームシャフト１７を回転させ、これに固定した下アーム１５、上アーム１６を出して缶の両サイドをへこます。又この位置で、インナーベース２の内側にある、アームリミットスイッチ２９が感知し、その信号を制御装置に送り反転命令を出し、駆動モーター３を逆転させ、上アーム１５、下アーム１６はリターンスプリング２０のバネ力によって収納され、続いてインナーベース２を最下段まで下げ、缶押し部１ｅと缶受け部１ｆで缶をつぶす。最下段付近では、下リミットスイッチ２７が感知しその信号を制御装置３１に送り、反転命令を出し、駆動モーター３を正転させ、インナーベース２を最上段まで押し上げ、上リミットスイッチ２８が感知しその信号を制御装置３１に送り、停止命令を出し駆動用モーター３を止める。この状態でつぶれた缶は取り出すことが出来、再度缶をつぶす場合は、作動スイッチ２６を押せばよい。また缶つぶし機を格納する場合は、格納スイッチ２５を押すと、駆動モーター３は逆転しインナーベース２は最下段まで下がり、下リミットスイッチ２８が感知し、その信号を制御装置３１に送り、駆動モーターを停止させる。
【産業上の利用可能性】
【００１１】
スイッチを押すだけで簡単に缶がつぶれ、安全性、外観、に優れ、軽量、小型で操作スペースも小さくすむので、家庭、高速列車内、飛行機内、事務所等の狭い場所にも置けて、広く利用される可能性があり、また空き缶のリサイクル効率を上げて、ＣO２削減にも寄与する。
【図面の簡単な説明】
【００１２】
【図１】本発明を示す構造図で正面からの透視図である。
【図２】本発明を示す構造図で側面からの透視図である。
【図３】本発明を示す最上段まで作動させた構造図で正面からの、透視図である。
【図４】構造図３のＡ−Ａ断面を示す断面図である。
【図５】構造図３のＢ−Ｂ断面を示す断面図である。
【図６】構造図３のＣ−Ｃ断面でアームを作動させた時の状態を示す、断面図である。
【図７】構造図２のガイドプレートのガイド穴部Ｄの形状を示す図である。
【図８】本発明の作動状態を示す、作動図である。
【図９】本発明の斜視図である。
【図１０】本発明の制御装置の構成と関連を示す、ブロック図である。
【符号の説明】
【００１３】
１  アウターベース
１ａ  アウターレール部
１ｅ  缶受け部
２  インナーベース
２ｂ  インナーレール部
2ｄ  スクリューガイド溝  
２ｆ  缶押し部
３  駆動モーター
４  駆動プーリー
５  受動プーリー
６  スクリューネジ
７  スクリューナット
８  ストッパープレート
９  スクリューストッパー
１０  スクリューガイド
１１  アウターカバー
１２  ベアリング
１３  ガイドプレート
１３ｃ  ガイド穴
１４  ガイドピン
１５  下アーム
１６  上アーム
１７  アームシャフト
１８  アームプレート
１９  アームブッシュ
２０  リターンスプリング
２１  スクリューセットプレート
２２  ビス
２３  モーターブッシュ
２４  ベルト
２５  格納スイッチ
２６  作動スイッチ
２７  下リミットスイッチ
２８  上リミットスイッチ
２９  アームリミットスイッチ
３０  空き缶
３１  制御装置
【図１】
0003872454.tif 000002
【図２】
0003872454.tif 000003
【図３】
0003872454.tif 000004
【図４】
0003872454.tif 000005
【図５】
0003872454.tif 000006
【図６】
0003872454.tif 000007
【図７】
0003872454.tif 000008
【図８】
0003872454.tif 000009
【図９】
0003872454.tif 000010
【図１０】
0003872454.tif 000011